(57)【特許請求の範囲】
【請求項１】
自機と同じまたは互換性のあるデータ送受信サービスを提供されている相手側通信端末に、複数の送信方法の中からいずれか一つを選択してデータ送信を行うことができる移動通信端末において、
メッセージデータ編集途中またはメッセージデータ編集後に送信方法を変更できるベアラ変換手段と、
メッセージデータ編集後に送信方法を判定するベアラ自動判定手段と
を具備したことを特徴とする移動通信端末。
【請求項２】
請求項１に記載の移動通信端末において、
前記ベアラ変換手段の有効／無効の設定を通話相手別に登録する手段と、
前記ベアラ自動判定手段の有効／無効の設定を通話相手別に登録する手段と
を具備したことを特徴とする移動通信端末。
【請求項３】
請求項１または請求項２に記載の移動通信端末において、
メッセージデータの送信先として指定する宛先が送信方法毎に異なる場合、
前記ベアラ変換手段及び前記ベアラ自動判定手段によって選択または変更された送信方法に基づき、前記宛先を設定または変更する手段を具備したことを特徴とする移動通信端末。
【請求項４】
請求項１乃至請求項３のいずれかに記載の移動通信端末において、
前記メッセージデータは、新規作成メッセージ、転送メッセージ、及び返信メッセージのうちいずれか１つ以上であることを特徴とする移動通信端末。
【請求項５】
自機と同じまたは互換性のあるデータ送受信サービスを提供されている相手側通信端末に、複数の送信方法の中からいずれか一つを選択してデータ送信を行うことができ、ベアラ変換機能と、ベアラ自動判定機能とを有している移動通信端末の制御方法であり、
編集途中のメッセージデータのデータ内容が、編集前に選択していた送信方法での送信可能条件を満たしているか否かを監視し、
前記送信可能条件を満たしていないことが確認された場合には、
送信方法の再選択画面を表示部に表示し、
送信方法が再選択された場合には再選択された送信方法に変更し、
送信方法が再選択されなかった場合にはメッセージデータを再度編集する状態に自機を遷移させることを特徴とする移動通信端末の制御方法。
【請求項６】
自機と同じまたは互換性のあるデータ送受信サービスを提供されている相手側通信端末に、複数の送信方法の中からいずれか一つを選択してデータ送信を行うことができ、ベアラ変換機能と、ベアラ自動判定機能とを有している移動通信端末の制御方法であり、
編集後のメッセージデータのデータ内容が、編集前に選択していた送信方法での送信可能条件を満たしているか否かを判定し、
前記送信可能条件を満たしていると判定された場合には、
他の送信方法での送信可能条件も満たしているか否かを判定し、
前記他の送信方法での送信可能条件も満たしている場合には、
前記他の送信方法に変更できる変更画面を表示部に表示し、
前記他の送信方法に変更するための指示がなかった場合には送信方法を変更せず、
前記他の送信方法に変更するための指示があった場合には前記他の送信方法に変更することを特徴とする移動通信端末の制御方法。
【請求項７】
自機と同じまたは互換性のあるデータ送受信サービスを提供されている相手側通信端末に、複数の送信方法の中からいずれか一つを選択してデータ送信を行うことができ、ベアラ変換機能と、ベアラ自動判定機能とを有している移動通信端末の制御方法であり、
メッセージデータ編集後に前記メッセージデータのデータ内容に基づいて送信方法を判定し、
判定された送信方法でのデータ送信を行うか否かを確認するための確認画面を表示部に表示し、
前記判定された送信方法でのデータ送信が指示された場合には、
前記判定された送信方法でのデータ送信を行い、
前記判定された送信方法でのデータ送信が指示されなかった場合には、
メッセージデータを再度編集する状態に自機を遷移させることを特徴とする移動通信端末の制御方法。
【請求項８】
自機と同じまたは互換性のあるデータ送受信サービスを提供されている相手側通信端末に、複数の送信方法の中からいずれか一つを選択してデータ送信を行うことができ、ベアラ変換機能と、ベアラ自動判定機能とを有している移動通信端末の制御方法であり、
メッセージデータ編集後に前記メッセージデータのデータ内容に基づいて送信方法を判定し、
判定された送信方法でのデータ送信と、
他の送信方法でのデータ送信と
のうちいずれか一方を選択できる選択画面を表示部に表示し、
前記判定された送信方法でのデータ送信が選択された場合には、
前記判定された送信方法でのデータ送信を行い、
前記他の送信方法でのデータ送信が選択された場合には、
前記他の送信方法でデータ送信を行うことと、
前記他の送信方法の送信可能条件に基づいて前記メッセージデータを再編集することとをユーザに通知し、
前記他の送信方法の送信可能条件に基づいて前記メッセージデータを再編集し、
再編集された前記メッセージデータを送信することを特徴とする移動通信端末の制御方法。
【請求項９】
請求項５乃至請求項８のいずれかに記載の移動通信端末の制御方法において、
前記メッセージデータは、新規作成メッセージ、転送メッセージ、及び返信メッセージのうちいずれか１つ以上であることを特徴とする移動通信端末の制御方法。
【請求項１０】
請求項５乃至請求項９のいずれかに記載の移動通信端末の制御方法において、
前記データ内容は、メッセージデータのデータサイズと、添付ファイルの有無とを含むことを特徴とする移動通信端末の制御方法。
【発明の詳細な説明】
【０００１】
【発明の属する技術分野】
本発明は移動通信端末に関するものであり、より具体的には、複数の送信方法でデータ送信が可能な移動通信端末に関する。
【０００２】
【従来の技術】
近年、網側サービスの充実および移動通信端末自体の高性能化に伴い、複数の通信手順（送受信方法）の中から用途に適した通信手順を選択し、データの送受信を行うことができる通信端末が普及している。
このような傾向に伴い、特開平１１−１３６７５１号に提案されている移動通信端末装置の機能ブロック図は、図７のように構成されている。
【０００３】
図７において、メモリ部６は、キー入力部５３を操作して入力される文字データ列を所定のテキストコードに変換したメッセージ記憶エリア６ａと、この文字データをページャへ送信するための数字データに変換するための第１のコード変換テーブル記憶エリア６ｂと、文字データをＰＨＳ端末へ送信するためのデータに変換するための第２のコード変換テーブル記憶エリア６ｃとを記憶する。
制御部５は、メモリ部６の文字データを電子メールとして送信制御するパソコン通信制御手段５ａと、上記文字データを第１のコード変換テーブル記憶エリア６ｂを用いて変換してページャに向けて送信制御するページャ呼出制御手段５ｂと、上記文字データを第２のコード変換テーブル記憶エリア６ｃを用いて変換してＰＨＳ端末に向けて送信制御する移動局間メッセージ通信制御手段５ｃとを備えるようにしたものである。
【０００４】
【発明が解決しようとする課題】
しかしながら、上記の移動通信端末装置は作成したメッセージデータを送信する際に相手先端末の種類によりデータ変換を行うものであり、互いに複数の送信方法を有する同種類の端末間でのデータ変換を行うものではなかった。
本発明の目的は、同種類の相手先端末にデータ送信を行う場合、メッセージデータ編集途中またはメッセージデータ編集後に送信方法を選択または変更できる移動通信端末を提供することである。
また、本発明の目的は、同種類の相手先端末にデータ送信を行う場合、メッセージデータ編集後に送信方法を自動判定できる移動通信端末を提供することである。
【０００５】
【課題を解決するための手段】
本発明は上述の課題を解決するために、自機と同じまたは互換性のあるデータ送受信サービスを提供されている相手側通信端末に、複数の送信方法の中からいずれか一つを選択してデータ送信を行うことができる移動通信端末において、メッセージデータ編集途中またはメッセージデータ編集後に送信方法を変更できるベアラ変換手段と、メッセージデータ編集後に送信方法を判定するベアラ自動判定手段とを具備したことを特徴とする移動通信端末を提供する。
さらに、ベアラ変換手段の有効／無効の設定を通話相手別に登録する手段と、ベアラ自動判定手段の有効／無効の設定を通話相手別に登録する手段とを具備したことを特徴とする移動通信端末を提供する。
さらに、メッセージデータの送信先として指定する宛先が送信方法毎に異なる場合、ベアラ変換手段及びベアラ自動判定手段によって選択または変更された送信方法に基づき、宛先を設定または変更する手段を具備したことを特徴とする移動通信端末を提供する。
ここで、メッセージデータは、新規作成メッセージ、転送メッセージ、及び返信メッセージのうちいずれか１つ以上である。
【０００６】
さらに、本発明は、自機と同じまたは互換性のあるデータ送受信サービスを提供されている相手側通信端末に、複数の送信方法の中からいずれか一つを選択してデータ送信を行うことができ、ベアラ変換機能と、ベアラ自動判定機能とを有している移動通信端末の制御方法であり、編集途中のメッセージデータのデータ内容が、編集前に選択していた送信方法での送信可能条件を満たしているか否かを監視し、送信可能条件を満たしていないことが確認された場合には、送信方法の再選択画面を表示部に表示し、送信方法が再選択された場合には再選択された送信方法に変更し、送信方法が再選択されなかった場合にはメッセージデータを再度編集する状態に自機を遷移させることを特徴とする移動通信端末の制御方法を提供する。
【０００７】
さらに、本発明は、編集後のメッセージデータのデータ内容が、編集前に選択していた送信方法での送信可能条件を満たしているか否かを判定し、送信可能条件を満たしていると判定された場合には、他の送信方法での送信可能条件も満たしているか否かを判定し、他の送信方法での送信可能条件も満たしている場合には、他の送信方法に変更できる変更画面を表示部に表示し、他の送信方法に変更するための指示がなかった場合には送信方法を変更せず、他の送信方法に変更するための指示があった場合には他の送信方法に変更することを特徴とする移動通信端末の制御方法を提供する。
【０００８】
さらに、本発明は、メッセージデータ編集後にメッセージデータのデータ内容に基づいて送信方法を判定し、判定された送信方法でのデータ送信を行うか否かを確認するための確認画面を表示部に表示し、判定された送信方法でのデータ送信が指示された場合には、判定された送信方法でのデータ送信を行い、判定された送信方法でのデータ送信が指示されなかった場合には、メッセージデータを再度編集する状態に自機を遷移させることを特徴とする移動通信端末の制御方法を提供する。
【０００９】
さらに、本発明は、メッセージデータ編集後にメッセージデータのデータ内容に基づいて送信方法を判定し、判定された送信方法でのデータ送信と、他の送信方法でのデータ送信とのうちいずれか一方を選択できる選択画面を表示部に表示し、判定された送信方法でのデータ送信が選択された場合には、判定された送信方法でのデータ送信を行い、他の送信方法でのデータ送信が選択された場合には、他の送信方法でデータ送信を行うことと、他の送信方法の送信可能条件に基づいてメッセージデータを再編集することとをユーザに通知し、他の送信方法の送信可能条件に基づいてメッセージデータを再編集し、再編集されたメッセージデータを送信することを特徴とする移動通信端末の制御方法を提供する。
ここで、メッセージデータは、新規作成メッセージ、転送メッセージ、及び返信メッセージのうちいずれか１つ以上である。
また、データ内容は、メッセージデータのデータサイズと、添付ファイルの有無とを含む。
【００１０】
【発明の実施の形態】
次に、図１〜４を参照して本発明による移動体通信端末の実施の形態を詳細に説明する。図１は本発明による移動体通信端末の機能ブロック図である。また、図２は２つの送信方法を例に用いて説明したシーケンス図であり、図３は前述の２つの送信方法を用いたときのデータフォーマットを示す図である。さらに、図４〜６は本発明を適用した移動体通信端末の処理フロー図である。
【００１１】
図１に示すように、本発明による移動通信端末は、ＣＰＵ１０１、ＲＯＭ１０７、ＲＡＭ１０９、ベースバンド１０５、ＲＦ部１０３、アンテナ１２５に加え、コーデック１１５、ＭＩＣ（マイク）１１７、ＳＰ（スピーカ）１１９、表示部１１１、キー１１３、振動モータ１２３を備えている。移動通信端末全体の制御はＣＰＵ１０１によって行われる。
ＲＦ部１０３は、音声信号やデータ信号（メッセージデータ情報を含む）または制御信号等をアンテナ１２５より送信したり、アンテナ１２５から音声信号やデータ信号または制御信号等を受信する。そして、ベースバンド部１０５によって送受信信号の変調及び復調を行い、コーデック１１５によってＡ／Ｄ変換（アナログ−デジタル変換）及びＤ／Ａ変換（デジタル−アナログ変換）が行われる。ＭＩＣ１１７は音声入力部、ＳＰ１１９は音声出力部に相当する。
【００１２】
また、ＣＰＵ１０１はＲＯＭ１０７に記述されたプログラムに従い、キー１１３及びベースバンド１０５からの制御信号により動作し、本体の各機能を実行する。また、ＲＯＭ１０７には端末情報等のシステムデータも格納されている。ＣＰＵ１０１はまた、ＲＡＭ１０９に接続されており、発着信したメッセージデータの履歴データ（発着信履歴及び送受信したメッセージデータ情報）や、電話帳機能により登録または設定されたデータ等を記憶する。振動モータ１２３は本体を振動させることによって着信を通知する。具体的には、ユーザが電車内などの公共の場において、本体から可聴音を発したくない場合にこの振動モータ１２３を用いて移動通信端末の本体を振動させ、ユーザに必要な情報を通知している。表示部１１１には本体に提供される各情報のほか、本体に備えられた機能及び設定項目を表示する。キー１１３は、被呼者電話機の電話番号を入力するダイヤルボタンや発呼または応答を行うオフフックキー等、または各種の機能を設定する機能キーにより構成されている。
【００１３】
図２は図１の移動通信端末が提供されているデータ送受信サービスを使用したときのシーケンスである。なお、例として２つの異なる送信方法（ここでは「ベアラ」と称す）を用いた場合の説明をする。
図２（ａ）はＳＭＳベアラ（スカイウォーカー）のシーケンス図である。ＳＭＳ通信処理を行っている間は、移動通信端末（ＭＳ）とネットワーク（ＮＷ）との間で無線回線が確立しており、ＳＭＳ通信処理が終了すると無線回線も切断される。
一方、図２（ｂ）はＤＡＳベアラ（Ｊ−スカイウォーカー）のシーケンス図である。ＤＡＳ通信処理を行っている間は、移動通信端末（ＭＳ）とネットワーク（ＮＷ）との間で非電話回線が確立しており、ＤＡＳ通信処理が終了すると非電話回線も切断される。
【００１４】
ＳＭＳベアラとＤＡＳベアラとで、ＮＷアクセスシーケンス上最も大きく違う点が非電話回線を使用するか否かである。ＳＭＳベアラでは非電話回線を用いず、ＲＣＲ−ＳＴＤ２７で規定されているＬ３レベルのメッセージ上にデータを乗せてデータの送受信を行っている。ＤＡＳベアラでは非電話回線を使用し、そこでデータの送受信を行っている。
【００１５】
図３（ａ）はＳＭＳベアラで送受信される信号のＳＭＳデータフォーマットである。図３（ａ）の上段に示すようにＳＭＳデータブロックのデータ長は１９３バイトであり、ＳＭＳデータブロックは図３（ａ）の中段に示すようにＳＭＰＴ部６２バイトと、最大１３１バイトのユーザユーザ情報部とで構成されている。さらに、ユーザユーザ情報部はヘッダ部３バイトと、最大１２８バイトのユーザデータ部とで構成されている。ＳＭＳベアラで一度に送受信できるメッセージデータの最大サイズはユーザデータ部の最大長である１２８バイトであり、ファイル添付は不可能である。
【００１６】
図３（ｂ）はＤＡＳベアラで送受信される信号のＤＡＳデータフォーマットである。図３（ｂ）の上段に示すようにＤＡＳデータブロックのデータ長は６１４４バイトであり、図３（ｂ）の中段に示すように１ユニット１０２４バイトのＤＡＳユニットが合計６ユニット含まれている。さらに、ＤＡＳユニットはヘッダ部であるＤＡＬＰ部１４バイトと、ユーザデータ部１００９バイトと、チェックサム（ＣＳ）部１バイトとで構成されている。ＤＡＳベアラで一度に送受信できるメッセージデータの最大サイズはユーザデータ部１００９バイトの６倍、すなわち６０５４バイトであり、ファイル添付も可能である。
【００１７】
ＳＭＳベアラとＤＡＳベアラとを比較すると、上記のことからわかるように、ＤＡＳベアラのほうが１度に送受信できるデータサイズも大きく、またファイルの添付も可能ある。また、ＳＭＳベアラではメッセージデータの送信先である宛先を１件しか設定できないが、ＤＡＳベアラではメッセージデータの宛先を最大５件まで設定できる。しかしその分、ＤＡＳベアラを使用するとＳＭＳベアラを使用した場合と比較して通信コストが高くなってしまう。
【００１８】
従来の移動通信端末では、メッセージデータの編集を行う前にいずれのベアラで送信するか決定していなければならなかった。さらに、最初に決定したベアラはメッセージデータの編集途中や編集後に変更することができなかった。
しかし、メッセージデータの長さは可変であるため、編集している過程で長くなったり短くなったりする可能性が高い。そのため、例えば、最初にＳＭＳベアラを選択していたのに予想以上にメッセージデータが長くなり、１２８バイトを超えてしまった場合、せっかく作成したメッセージデータをもう一度最初から作成し直さなければならなかった。
【００１９】
逆に、ＤＡＳベアラを選択していたのに予想以上にメッセージデータが短くなり、１２８バイト未満になってしまった場合、ＳＭＳベアラの料金で済むはずの通信コストが、それより高いＤＡＳベアラの料金になってしまうという不利益が発生してしまっていた。
本発明の移動通信端末はメッセージデータ編集途中または編集後にベアラを変更できるベアラ変換機能と、メッセージデータ編集後にベアラを自動判定するベアラ自動判定機能とを有しているため、上記のような不利益が発生しない。
【００２０】
図４はメッセージデータ編集途中にＳＭＳベアラからＤＡＳベアラに変更する場合の処理フロー図である。まず、メッセージデータ編集前に待受け状態（ステップ４００）においてＳＭＳベアラを選択する。次に、メッセージデータの宛先を選択し（ステップ４０２）、メッセージデータの作成をする（ステップ４０４）。
メッセージデータの編集中に文章が１２８バイトを超えたことが確定、またはファイルを添付しようとすると（ステップ４０６）、ベアラをＤＡＳベアラに変換することをユーザに促す（ステップ４０８）。その他の場合はそのままメッセージデータ送信処理を行い（ステップ４１２）、処理を終了する（ステップ４１４）。
【００２１】
ステップ４０８でベアラをＤＡＳベアラに変換するようにユーザから指示があった場合には、ＤＡＳベアラでの宛先設定及びメッセージデータ作成に遷移する（ステップ４１０）。このとき、宛先設定領域及びメッセージデータ作成領域にはＳＭＳベアラ選択時に設定していた宛先と、編集中のメッセージデータとが表示されている。ステップ４１２では通常のＤＡＳベアラでの送信手順に従ってメッセージデータ送信処理を行い、処理を終了する（ステップ４１４）。
ステップ４０８でベアラをＤＡＳベアラに変換するようにユーザから指示がなかった場合には、ＳＭＳベアラでのメッセージデータ作成処理に戻って（ステップ４０４）上記の処理を繰り返す。
【００２２】
図５はメッセージデータ編集後にＤＡＳベアラからＳＭＳベアラに変更する場合の処理フロー図である。まず、メッセージデータ編集前に待受け状態（ステップ５００）においてＤＡＳベアラを選択する。次に、メッセージデータの宛先を選択し、メッセージデータの作成をする（ステップ５０２）。
メッセージデータの編集後、文章のデータサイズと添付ファイルの有無を確認する（ステップ５０４）。文章が１２８バイト未満であり、かつファイルも添付されていない場合には、ベアラをＳＭＳベアラに変換することをユーザに促す表示がされる（ステップ５１０）。文章が１２８バイト以上である、または添付ファイルがある場合には、最初に選択したＤＡＳベアラでのメッセージデータ送信処理を行い（ステップ５０６）、処理を終了する（ステップ５１６）。
【００２３】
ステップ５１０でベアラをＳＭＳベアラに変換するようにユーザから指示があった場合には、宛先リストが表示され（ステップ５０８）、このリストの中から宛先を設定選択する（ステップ５１２）。一方、メッセージデータ作成領域にはすでに作成されているメッセージデータが表示されている（ステップ５１４）。ステップ５１２以降は通常のＳＭＳベアラでの送信手順に従ってメッセージデータ送信処理を行い（ステップ５０６）、処理を終了する（ステップ５１６）。
【００２４】
図６はメッセージデータ編集後にベアラを自動判定する場合の処理フロー図である。まず、待受け状態（ステップ６００）からメッセージデータ作成処理（ステップ６０２）に入る際にはベアラの選択は行わない。メッセージデータの編集後メッセージデータ送信処理に移行した段階で、送信するメッセージデータがどのベアラの送信可能条件を満たしているかを判定する（ステップ６０４）。
ステップ６０４では、この場合、データサイズが１２８バイト以上、または添付ファイルが有るメッセージデータに対してはＤＡＳベアラで送信するのが適切である旨を表示し（ステップ６１０）、データサイズが１２８バイト以下、且つ添付ファイルが無いメッセージデータに対してはＳＭＳベアラで送信するのが適切である旨を表示する（ステップ６０６）。
【００２５】
そして、表示されたベアラで送信してよいか否かの確認をし（ステップ６０８）、ユーザ確認ＯＫであればメッセージデータの送信処理に入り（ステップ６１２）、宛先選択処理（ステップ６１４）を行った後に処理を終了する（ステップ６１６）。一方、ユーザ確認ＮＧの場合には、メッセージデータ作成処理（ステップ６０２）に戻る。
なお、図６ではベアラ判定の結果を表示してユーザに確認しているが（ステップ６０８）、メッセージ即時送信設定ＯＮ／ＯＦＦを設けることにより、メッセージ即時送信設定ＯＮの場合にはユーザ確認を行わずにメッセージデータを送信するようにしてもよい。
【００２６】
以上、本発明の実施の形態を説明したが、本発明の移動通信端末は上記に限定されず、例えば、ベアラ自動判定機能によって適当とされたベアラ以外でのデータ送信も可能にすることができる。この場合、他方のベアラでデータ送信する旨と、その際の制限事項（添付ファイルは削除されること等）とをユーザに通知する。
また、ベアラ変換機能の有効／無効の設定、およびベアラ自動判定機能の有効／無効の設定は、通話相手に関係なく設定することもできるし、通話相手別に登録することも可能である。
さらに、これらベアラ変換機能およびベアラ自動判定機能は、新規作成メッセージのみでなく、転送メッセージや返信メッセージにも適用できる。
なお、上記説明ではメッセージデータのデータサイズと、添付ファイルの有無とをベアラ判定の判定基準にしているが、その他の事項を判定基準としてもよいことは明らかである。
【００２７】
【発明の効果】
このように本発明によれば、同種類の相手先端末にデータ送信を行う場合、メッセージデータ編集途中またはメッセージデータ編集後に、送信方法を選択または変更できる移動通信端末を提供することが可能である。
さらに、同種類の相手先端末にデータ送信を行う場合、メッセージデータ編集後に送信方法を自動判定できる移動通信端末を提供することが可能である。
【図面の簡単な説明】
【図１】本発明による移動通信端末を示す機能ブロック図。
【図２】ＳＭＳベアラとＤＡＳベアラとを説明したシーケンス図。
【図３】ＳＭＳベアラおよびＤＡＳベアラで使用する信号のデータフォーマット。
【図４】ベアラ変換機能の処理フロー図。
【図５】ベアラ変換機能の処理フロー図。
【図６】ベアラ自動判定機能の処理フロー図。
【図７】従来の移動通信端末を示す機能ブロック図。
【符号の説明】
１０１  ＣＰＵ
１０３  ＲＯＭ
１０５  ＲＡＭ
１１１  表示部
【図１】
0003568191.tif 000002
【図２】
0003568191.tif 000003
【図３】
0003568191.tif 000004
【図４】
0003568191.tif 000005
【図５】
0003568191.tif 000006
【図６】
0003568191.tif 000007
【図７】
0003568191.tif 000008